【手続補正書】
【提出日】平成20年11月10日(2008.11.10)
【手続補正１】
【補正対象書類名】特許請求の範囲
【補正対象項目名】全文
【補正方法】変更
【補正の内容】
【特許請求の範囲】
【請求項１】
少なくとも一つの家電機器と所定の通信システムで連結されて、前記家電機器の状態を遠隔地で外部に表示するとともに、前記家電機器を制御するように構成され、
下部ケースと、前記下部ケースの上部に分離自在に組み立てられ、露出窓を持つ上部ケースとからなって外観を形成するケースと、
前記ケースに内蔵され、各種電子部品が実装された制御基板と、
を有することを特徴とする、家電機器の遠隔モニタ装置。
【請求項２】
前記制御基板は、前記家電機器とのデータ送受信のための通信モデム用基板と、前記通信モデム用基板の上部に実装または分離自在に備えられて前記家電機器の状態を外部に表示するディスプレイ用基板と、を有する、請求項１に記載の家電機器の遠隔モニタ装置。
【請求項３】
前記通信モデム用基板または前記ディスプレイ用基板のいずれかの一基板に雄端子ピンが備えられ、これに対応して残りのいずれかの基板に、前記雄端子ピンの差し込まれる雌端子ピンが備えられることを特徴とする、請求項２に記載の家電機器の遠隔モニタ装置。
【請求項４】
前記ディスプレイ用基板には、前記家電機器の進行過程及び行程エラーなどの状態情報を数字及び文字などの記号で外部に表示するＬＣＤセグメントが、ねじ結合方式またはフック結合方式で備えられる、請求項２に記載の家電機器の遠隔モニタ装置。
【請求項５】
前記通信システムは、電力線を介してデータを取り交わす電力線通信方式の通信システムである、請求項１に記載の家電機器の遠隔モニタ装置。
【請求項６】
前記上部ケースには下方に突出された締結ボスが形成され、前記下部ケースには前記締結ボスと対応する締結穴が形成され、
前記上部ケースと下部ケースは、締結部材が前記締結穴を通って前記締結ボスと結合されることによって同時に組み立てられる、請求項１に記載の家電機器の遠隔モニタ装置。
【請求項７】
前記上部ケースの露出面である上部面には、前記露出窓を通した内部透視が可能なように透視用シートが備えられ、
前記透視用シートの上部面には、前記上部ケースの露出窓と対応する透視窓を持つ保護用シートが備えられ、
前記透視用シートと前記保護用シートは、前記上部ケースの上部面と対応する大きさで形成される、請求項１に記載の家電機器の遠隔モニタ装置。
【請求項８】
前記上部ケースの上部面には、前記保護用シートの縁部に残存するバリとの干渉を防止するための干渉防止溝が形成される、請求項７に記載の家電機器の遠隔モニタ装置。
【請求項９】
前記上部ケースにはボタン穴が形成され、
前記ボタン穴には、押下されて前記制御基板上に備えられたスイッチと接触した後、元の位置に復帰する作動ボタンが備えられる、請求項１に記載の家電機器の遠隔モニタ装置。
【請求項１０】
前記作動ボタンは、
前記ボタン穴を通過して前記上部ケースの上部面外側に露出される押し部と、
前記押し部の下部に一体に形成されて、前記ボタン穴周辺側の前記上部ケースの下部面に固定される設置部とを有し、
前記設置部の底面には、前記制御基板上に備えられたスイッチと接触する接触突起が形成され、
前記設置部の周縁には、前記制御基板上に実装された電子部品との干渉が防止されるように干渉回避溝が形成される、請求項９に記載の家電機器の遠隔モニタ装置。
【請求項１１】
前記ボタン穴の縁部には下方に突出された段差部が形成され、
前記作動ボタンには前記段差部と反対に突出形成されて、前記上部ケースの下部面に密着される逆段差部が形成される、請求項９に記載の家電機器の遠隔モニタ装置。
【請求項１２】
前記上部ケースまたは前記下部ケースのいずれかのケースに型合突起が形成され、これに対応して残りの他のケースには前記型合突起の結合される型合溝が形成され、
前記型合突起と型合溝は、相互対応する各ケースの上・下周縁に沿って全周に形成される、請求項１に記載の家電機器の遠隔モニタ装置。
【請求項１３】
前記型合溝の形成されたケースの周縁は、前記型合溝が形成されることから、前記型合突起の外側に位置する外縁部と内側に位置する内縁部からなる二重構造とされ、
前記内縁部の突出長さと前記外縁部の突出長さは互いに異なる、請求項１２に記載の家電機器の遠隔モニタ装置。
【請求項１４】
前記型合溝には、前記型合突起との結合時に前記型合突起の両端隅部が圧着されるシーリング部が形成され、
前記シーリング部は、前記型合突起の隅部に圧着される傾斜面である、請求項１２に記載の家電機器の遠隔モニタ装置。
【請求項１５】
前記上部ケースまたは前記下部ケースのいずれかのケースに型合フックが形成され、これに対応して残りの他のケースには前記型合フックの結合されるフック穴が形成される、請求項１に記載の家電機器の遠隔モニタ装置。
【請求項１６】
前記下部ケースの非露出面である上部面には、前記下部ケースの金型による射出成形時に、前記金型が前記型合フックと干渉することなく除去されるように導くスライド部が形成され、
前記スライド部は、前記下部ケースの上部面外側部から前記型合フックの下部に位置する前記下部ケースの縁部内側面まで平坦に形成された面である、請求項１５に記載の家電機器の遠隔モニタ装置。
【請求項１７】
前記上部ケースには、前記制御基板を支持するための上部支持ボスが少なくても一つ突出形成され、
前記下部ケースには、前記制御基板を支持するための下部支持ボスが少なくても一つ突出形成される、請求項１に記載の家電機器の遠隔モニタ装置。
【請求項１８】
前記ケースを前記遠隔地の壁等に固定するための固定手段がさらに備えられ、
前記固定手段は、前記ケースのうち、下部ケースの露出面である下部面から外側に突出形成された装着部と、前記遠隔地の壁等に設置されて前記装着部が結合されるハンガーとを有し、
前記装着部または前記ハンガーのいずれかにガイド突起が形成され、これに対応して残りのいずれかには前記ガイド突起がスライド方式で結合されるガイド溝を持つ安着部が形成される、請求項１に記載の家電機器の遠隔モニタ装置。
【請求項１９】
前記家電機器の各進行状態に対応する音を出力するスピーカがさらに備えられる、請求項１に記載の家電機器の遠隔モニタ装置。
【請求項２０】
少なくとも一つの家電機器と所定の通信システムで連結されて、前記家電機器の状態を遠隔地で外部に表示するとともに、前記家電機器を制御するように構成され、
下部ケースと、前記下部ケースの上部に分離自在に組み立てられ、露出窓を持つ上部ケースと、前記上部ケースの上部に分離自在に組み立てられ、前記露出窓と対応するディスプレイ窓を持つ外面ケースとからなって外観を形成するケースと、
前記ケースに内蔵され、各種電子部品が実装された制御基板と、
を有することを特徴とする家電機器の遠隔モニタ装置。
【請求項２１】
前記外面ケースの露出面である上部面には、前記ディスプレイ窓を通した内部透視が可能なように透視用シートが備えられ、
前記透視用シートの上部面には、前記外面ケースのディスプレイ窓と対応する透視窓を持つ保護用シートが備えられ、
前記透視用シートと前記保護用シートは、前記上部ケースの上部面と対応する大きさで形成される、請求項２０に記載の家電機器の遠隔モニタ装置。
【請求項２２】
前記外面ケースの上部面には、前記保護用シートの縁部に残存するバリとの干渉を防止するための干渉防止溝が形成される、請求項２１に記載の家電機器の遠隔モニタ装置。